(57)【要約】【課題】集客性の向上をコストの高騰を抑止しながら実現すること。【解決手段】遊技者が計数機６において計数させたパチンコ玉は、当該遊技者に対し発行された会員カードに対応した貯玉としてホストコンピュータ４側に記憶できる。この貯玉時において、所定の貯玉条件が成立していた場合には、計数結果が特別貯玉口座に貯玉される。特別貯玉口座の貯玉は、これを景品と交換する際の価値が、普通貯玉口座の貯玉を景品と交換する際の価値より高い状態に設定され、また、特別貯玉口座の貯玉を再プレイ玉として放出する際の単位玉数当たりの手数料が、普通貯玉口座の貯玉を再プレイ玉として引き落とす際の単位玉数当たりの手数料より低い状態に設定されている。【選択図】  図１
2004166781.tif 000002
【特許請求の範囲】
【請求項１】
遊技機での獲得遊技媒体数に応じた有価価値情報を累積的に記憶するための遊技者用個人口座が開設され、その個人口座に記憶された有価価値情報の決済を任意時期に行い得るようした遊技場用管理システムにおいて、
前記個人口座として、有価価値情報の累積的記憶が常時において可能な普通口座と、所定条件を満たした場合のみ有価価値情報の累積的記憶が可能となる特別口座とを設定し、
遊技者にとって、前記特別口座に記憶された有価価値情報の決済条件が前記普通口座に記憶された有価価値情報の決済条件より有利な状態となるように設定したことを特徴とする遊技場用管理システム。
【請求項２】
前記特別口座に対して有価価値情報を累積的に記憶可能となる条件を任意に変更設定できるように構成されていることを特徴とする請求項１記載の遊技場用管理システム。
【請求項３】
前記特別口座に記憶された有価価値情報を景品と交換する際の価値が、前記普通口座に記憶された有価価値情報を景品と交換する際の価値より高い値に設定されていることを特徴とする請求項１または２記載の遊技場用管理システム。
【請求項４】
請求項３記載の遊技場用管理システムにおいて、
有価価値情報を景品と交換する際に、前記特別口座及び普通口座に記憶された各有価価値情報をそれぞれの価値に応じた換算を行った状態で合算可能に構成されていることを特徴とする遊技場用管理システム。
【請求項５】
前記特別口座に記憶された有価価値情報を遊技媒体として放出する際の単位遊技媒体数当たりの手数料が、前記普通口座に記憶された有価価値情報を遊技媒体として放出する際の単位遊技媒体数当たりの手数料より低い値に設定されていることを特徴とする請求項１ないし４の何れかに記載の遊技場用管理システム。
【請求項６】
前記特別口座及び普通口座間での有価価値情報の双方向移動を、遊技場側で任意に実施できるように構成されていることを特徴とする請求項１ないし５の何れかに記載の遊技場用情報管理システム。
【発明の詳細な説明】
【０００１】
【発明の属する技術分野】
本発明は、例えばパチンコホールのような遊技場で実施されている貯玉システムのように、遊技者が獲得した遊技媒体数に応じた有価価値情報を遊技場側で累積的に記憶可能に構成すると共に、その記憶有価価値情報の決済を任意時期に行い得るようした遊技場用管理システムに関する。
【０００２】
【従来の技術】
パチンコ遊技機及びパチスロ機が設置された遊技場で実施されている貯玉・貯メダルシステムでは、会員カードの発行を受けている遊技者（以下、会員と呼ぶ）が、獲得パチンコ玉や獲得メダルを計数機で計数したときに、その計数結果を予め会員カードに対応付けて開設されている貯玉口座及び貯メダル口座にそれぞれ貯玉及び貯メダルとして預け入れる形態とし、会員側では、この貯玉や貯メダルを任意時期において景品交換やパチンコ玉（再プレイ玉）及びメダル（再プレイメダル）の放出に利用できるように構成されている。
【０００３】
上記のような貯玉・貯メダルシステムを採用した遊技場では、貯玉や貯メダルを行った会員が所謂リピータとして再来店する可能性が極めて高くなるものであり、従って、このシステムは遊技機稼働率の向上を図る上で有益な手段といえる。しかしながら、上記貯玉・貯メダルシステムでは、そのサービスが単調にならざるを得ないため、遊技機稼働率を一段と高めるためには種々の工夫が必要になる。このような工夫として、従来では、会員の性別、年齢などに応じて特定サービス（再プレイ時の手数料の軽減など）を提供する日時をサービスデー或いはサービスタイムとして設定する手段や、予め決められた優遇条件を満たした会員に対しＶＩＰ会員カードを発行し、そのＶＩＰ会員には貯玉・貯メダルを利用した景品交換時に種々の特典を与える手段などが実施されている。
【０００４】
【発明が解決しようとする課題】
例えば、サービスデーやサービスタイムを設定した場合、確かに、その特定サービス提供期間中は会員側にとって有利な状態となるため、集客性の向上を期待できるようになる。しかし、当該サービスデー及びサービスタイム以外の期間には、集客性が下がって遊技機稼働率の低下を招く恐れがある。また、ＶＩＰ会員カードを発行するシステムでは、そのカード発行に伴いシステム構成及びハードウェア構成が煩雑化するため、コストの高騰を招くという問題点が出てくる。
【０００５】
本発明は上記事情に鑑みてなされたものであり、その目的は、集客性の向上をコストの高騰を抑止しながら実現できるようになる遊技場用管理システムを提供することにある。
【０００６】
【課題を解決するための手段】
請求項１記載の発明は、遊技機での獲得遊技媒体数に応じた有価価値情報を累積的に記憶するための遊技者用個人口座が開設され、その個人口座に記憶された有価価値情報の決済を任意時期に行い得るようした遊技場用管理システムを対象としたものであり、このようなシステムにおいて、上記目的を達成するために、前記個人口座として、有価価値情報の累積的記憶が常時において可能な普通口座と、所定条件を満たした場合のみ有価価値情報の累積的記憶が可能となる特別口座とを設定し、遊技者にとって、前記特別口座に記憶された有価価値情報の決済条件が前記普通口座に記憶された有価価値情報の決済条件より有利な状態となるように設定する構成としたものである。
【０００７】
この構成によれば、個人口座に特別口座が設定された遊技者は、その特別口座に記憶された有価価値情報を決済するときに通常時より有利な取り扱いを受けることができる。このような利益が得られる特別口座は、所定条件を満たした場合に設定されるものであって、どの遊技者にも開設チャンスがあるから、遊技者の射幸心を高めて遊技場への来店への動機付けを図ることができ、以て常時において集客性の向上を実現できるようになる。また、個人口座に通常の普通口座の他に特別口座を設定するだけで済むから、システム構成及びハードウェア構成が複雑化する恐れがなくなってコストの高騰を抑制できる。
【０００８】
請求項２記載の発明は、前記特別口座に対して有価価値情報を累積的に記憶可能となる条件を任意に変更設定できるように構成したものである。
この構成によれば、特別口座に対して有価価値情報を累積的に記憶可能となる条件の多様化、つまり、遊技者が特別口座を開設できるチャンスの多様化を実現できる。このため、遊技場側で遊技者にとって有利となる様々なイベントを行うことが可能となり、集客性の向上を期待できるようになる。
【０００９】
請求項３記載の発明は、前記特別口座に記憶された有価価値情報を景品と交換する際の価値を、前記普通口座に記憶された有価価値情報を景品と交換する際の価値より高い値に設定したものである。
この構成によれば、特別口座を開設することが、景品交換時における遊技者の利益向上に繋がることになるから、その特別口座の魅力が高まるようになって集客性の向上を図る上で有益になる。
【００１０】
請求項４記載の発明は、上記請求項３のような構成を採用する場合において、有価価値情報を景品と交換する際に、前記特別口座及び普通口座に記憶された各有価価値情報をそれぞれの価値に応じた換算を行った状態で合算可能に構成したものである。
この構成によれば、特別口座及び普通口座に記憶された各有価価値情報の精算を簡略に行い得るようになる。
【００１１】
請求項５記載の発明は、前記特別口座に記憶された有価価値情報を遊技媒体として放出する際の単位遊技媒体数当たりの手数料を、前記普通口座に記憶された有価価値情報を遊技媒体として放出する際の単位遊技媒体数当たりの手数料より低い値に設定したものである。
この構成によれば、特別口座を開設することが、有価価値情報の遊技媒体への交換時における遊技者側の負担額軽減に繋がることになるから、その特別口座の魅力が高まるようになって集客性の向上を図る上で有益になる。
【００１２】
請求項６記載の発明は、前記特別口座及び普通口座間での有価価値情報の双方向移動を、遊技場側で任意に実施できるように構成したものである。
この構成によれば、遊技場側による特別口座及び普通口座のメンテナンスを自由に行い得るようになるから、その管理を円滑に行うことが可能になる。
【００１３】
【発明の実施の形態】
以下、本発明をパチンコ遊技機が設置された遊技場（パチンコホール）用のデータ管理システムに適用した一実施例について図面を参照しながら説明する。この場合、本実施例が対象とする遊技場では、事前に会員登録された遊技者、つまり、遊技場側から発行された会員カード（ＩＤカード）を所持している遊技者について、遊技により獲得した遊技媒体であるパチンコ玉を当該会員カードと対応付けた状態で遊技場側に預けた形態の所謂貯玉とし、その貯玉を後日の景品交換に供したり、貯玉に対応したパチンコ玉を後で引き出して遊技に使用できるようにした貯玉システムを採用している。
【００１４】
図１には、遊技場用管理システムの全体構成が概略的に示されている。この図１において、遊技場内に多数台ずつ設置されたパチンコ遊技機１及び台間玉貸機２は、それぞれに対応して設けられた入出力装置３と接続されている。この場合、パチンコ遊技機１から入出力装置３には、周知のアウト玉数信号、セーフ玉数信号、スタート信号、特賞信号などが出力される。
【００１５】
台間玉貸機２の動作内容については後述するが、基本的には、図示しないプリペイドカードが挿入された状態で当該プリペイドカードに記憶された残高金額データの範囲内でパチンコ玉を放出するＣＲ機（カードリーダ機）としての機能、並びに図示しない会員カードがセットされた状態で当該会員カードに対応した貯玉（本発明でいう有価価値情報に相当）の残高がある場合に、払出ボタン（図示せず）の押下げ操作に応じて貯玉の残高範囲内でパチンコ玉を放出する再プレイ機としての機能を備えたものである。尚、台間玉貸機２からの放出パチンコ玉は、パチンコ遊技機１の上皿（符号なし）へ供給されるようになっている。この台間玉貸機２から入出力装置３には、プリペイドカードによる売上（遊技者側から見た場合には投資金額）を示す売上信号、貯玉の放出数を示す再プレイ玉数信号などが出力される。
【００１６】
遊技場施設である管理事務所内には、遊技場用集中管理装置としてのホストコンピュータ４が設けられており、前記入出力装置３は、このホストコンピュータ４に対してＬＡＮ５を介して接続されている。この場合、ホストコンピュータ４においては、会員（会員カードの発行を受けている遊技者）が、パチンコ遊技機１での遊技をこれに対応した台間玉貸機２に会員カードをセットした状態で行った場合に、その状態でパチンコ遊技機１及び台間玉貸機２から出力される各信号（アウト玉数信号、セーフ玉数信号、スタート信号、特賞信号、売上信号、再プレイ玉数信号など）に基づいて、会員となっている遊技者毎の遊技時間、特賞回数、投資金額、収支金額などの個人遊技情報を収集し、それらの情報を当該ホストコンピュータ４側に構築された個人遊技情報データベースに蓄積する構成となっている。
【００１７】
遊技場内の複数箇所（例えば島端）には、遊技者が獲得したパチンコ玉を計数するための計数機６が設置されており、各計数機６は、ＬＡＮ５を介してホストコンピュータ４と通信可能に接続されている。この計数機６の動作内容については後述するが、基本的には、計数結果を記録したレシートを発行すると同時に当該計数結果をホストコンピュータ４へ送信する機能、並びに会員カードの挿入状態で計数動作を行ったときに、その計数結果を当該会員カードに対応した貯玉としてホストコンピュータ４側の個人遊技情報データベースに記憶させる機能が設定されている。尚、個人遊技情報データベースには、会員カードと対応付けた個人口座が設定されるものであり、上記貯玉は当該個人口座に累積的に記憶（預け入れ）されることになる。
【００１８】
遊技場内の景品交換カウンタには、景品交換業務を行うためのＰＯＳ端末７が複数台設置されている。このＰＯＳ端末７は、ＬＡＮ５を介してホストコンピュータ４と通信可能に接続されている。ＰＯＳ端末７の動作内容については後述するが、基本的には、計数機６から発券されたレシートの記録情報及び会員カードに対応した個人口座の貯玉情報をホストコンピュータ４側の蓄積情報と照合することにより、遊技者の獲得パチンコ玉数に応じた景品を払い出す機能が設定されている。また、ＰＯＳ端末７は、景品交換カウンタへの種々の景品の入庫数や払出景品数などのデータを入力可能になっており、それらのデータをホストコンピュータ４へ送信するようになっている。尚、このＰＯＳ端末７に対して、レシートの記録情報を会員カードに対応した貯玉情報へ移行させる機能を付加することも可能である。
【００１９】
図２には計数機６の動作内容が示されており、以下これについて説明する。図２において、計数機６は、計数対象のパチンコ玉が投入されるまで待機し（ステップＡ１）、パチンコ玉が投入されたときには、計数処理ルーチンＡ２を実行する。このルーチンＡ２では、投入パチンコ玉を計数するために設けられた計数部（図示せず）から入力される計数パルスを計数して当該計数値を逐次更新記憶する動作、並びに計数値を特定景品の交換単価で除算する動作（計数パチンコ玉により交換可能な特定景品の個数及び余りパチンコ玉数を算出する動作）を行うと共に、計数値及び除算結果を（図示せず）表示部に表示する動作を行う。
【００２０】
このような計数処理ルーチンＡ２は、ステップＡ３において計数終了と判断されるまで実行され、計数終了したときには、計数結果の決済のために設けられた決定ボタン（図示せず）が押下げ操作されるまで待機する（ステップＡ４）。決定ボタンが押下げ操作されたときには、会員カードが挿入された状態にあるか否かを判断する（ステップＡ５）。会員カードが挿入されていない場合には、内蔵プリンタ（図示せず）を通じて景品交換用レシートを発券し（ステップＡ６）、この後にリターンする。具体的に図示しないが、この景品交換用レシートには、遊技場名、発券日時及び時刻、計数結果（遊技者側の獲得パチンコ玉数）、その計数結果に対応したパチンコ玉で交換可能な特定景品の個数、その景品交換時の余りパチンコ玉数、上記計数結果及び固有のＩＤコードなどを記録したバーコード、有効期限を含むメッセージなどが印刷される。
【００２１】
これに対して、会員カードが挿入された状態にあった場合には、本発明でいう特別貯玉口座（特別口座に相当）への貯玉条件が成立しているか否かを判断する（ステップＡ７）。ここで、特別貯玉口座への貯玉条件は遊技場において自由に設定できるものであり、例えば、以下に述べるような種々の条件の中から任意の条件を単独或いは重複して設定できる構成となっている。尚、下記条件のうち、（１）〜（４）の算定基準となる各データは、ホストコンピュータ４において収集される前述の個人遊技情報データベースを参照することにより得られる。また、下記（１）〜（８）以外の条件を設定しても良いことは勿論である。
【００２２】
（１）パチンコ遊技機１で遊技した時間（アウト玉数）データが所定のしきい値以上あること、
（２）パチンコ遊技機１での遊技により発生した特賞回数データが所定のしきい値以上あること、
（３）遊技者側の投資金額（台間玉貸機２での売上）データが所定のしきい値以上であること、
（４）遊技者の当日の収支金額データが所定のプラス側しきい値以上であること、或いはこの逆に収支金額データが所定のマイナス側しきい値以下であること、
（５）当日が予め広報された特定日（所謂サービスデー）であること、
（６）計数機６での計数時刻が予め決められた時間帯（例えば、閉店の所定時間（３０分程度）前から閉店時刻までの時間帯、午前中の所定時間帯など）であること、
（７）計数機６でのパチンコ玉の計数が終了した時点で計数値が規定値以上ある場合に所定の当たり確率の抽選動作を行い、その抽選結果が当選した場合（１日当たりの当選回数に上限を設定しておいても良い）、
（８）遊技場側で随時指定する計数機６でパチンコ玉の計数動作を行った場合（但し、この場合には、例えば計数機６に遊技場従業員が携帯するリモコンからの指令信号を受信する機能を設け、そのリモコンを通じて計数機６の指定操作を行うことになる）。
【００２３】
そして、ここで例を挙げたような特別貯玉口座への貯玉条件が成立していない場合には、計数結果を、会員カードに対応した個人口座に設定されている普通貯玉口座（普通口座に相当）へ貯玉し（ステップＡ８）、この後に挿入状態にある会員カードを排出するステップＡ１０を実行してリターンする。これに対して、特別貯玉口座への貯玉条件が成立している場合には、計数結果を、上記個人口座に設定した特別貯玉口座へ貯玉し（ステップＡ９）、カード排出ステップＡ１０を実行してリターンする。この場合、上記貯玉処理は、貯玉情報をホストコンピュータ４に構築された個人遊技情報データベースに累積的に記憶することにより行われる。
【００２４】
尚、上述した貯玉についての普通貯玉口座及び特別貯玉口座の概念は以下に述べる通りである。即ち、
▲１▼  普通貯玉口座は、現在普及している一般的な貯玉システムに採用されているものであり、会員（会員カードの発行を受けている遊技者）の個人口座に開設され、パチンコ玉の預け入れについて条件的な制約はない。これに対して、特別貯玉口座も会員の個人口座に設定されるものであり、前述のような貯玉条件が成立した場合のみ計数機６による計数パチンコ玉の預け入れが行われる。尚、以下においては、計数機６での計数結果を貯玉した会員を貯玉会員、計数機での計数結果を貯玉することなくレシートで受け取った会員を一般会員、特別貯玉口座が開設された会員を特別貯玉会員と呼ぶ。
【００２５】
▲２▼  特別貯玉口座は、その貯玉をＰＯＳ端末７において景品交換する際のパチンコ玉の交換単価（貯玉の価値）が、普通貯玉口座の貯玉による交換単価より高い値に設定されている。但し、普通貯玉口座の貯玉による交換単価は、一般会員が貯玉することなくレシートに記録したパチンコ玉による交換単価よりは高い値とされる。また、一般会員が獲得したパチンコ玉による交換単価は、非会員が獲得したパチンコ玉による交換単価よりは高い値とされる。図３には、このような交換レートの差の例について、２種類の景品（ブランドバッグ、ブランド財布）について示した。尚、景品価額を図３に示した「必要パチンコ玉数」で除算した値がパチンコ玉の交換単価になる。
【００２６】
▲３▼  特別貯玉口座は、その貯玉を再プレイ玉として台間玉貸機２から引き落とす際の手数料が、普通貯玉口座の貯玉を引き落とす際の手数料より低い値に設定されている。図４には、このような手数料の一例について示した。尚、図４では、貯玉を再プレイ玉として引き出すときの最小単位玉数（１２５個）毎の引き落とし手数料を示した。
【００２７】
一方、図５にはＰＯＳ端末７の動作内容が示されており、以下これについて説明する。図５において、ＰＯＳ端末７は、パチンコ玉との景品交換に供される景品の選択が行われるまで待機し（ステップＢ１）、選択されたときには、会員カードの有無を判断する（ステップＢ２）。会員カードがない場合には、非会員用の交換単価で景品交換を行うステップＢ３を経てリターンする。
【００２８】
これに対して、会員カードがあった場合には、貯玉からの景品交換であるか否かを判断する（ステップＢ４）。貯玉からの景品交換でなかった場合、つまり一般会員が持参したレシートによる景品交換であった場合には、一般会員用の交換単価で景品交換を行うステップＢ５を経てリターンする。
【００２９】
貯玉からの景品交換であった場合には、その貯玉が特別貯玉口座のものであるか否かを判断する（ステップＢ６）。特別貯玉口座の貯玉でなかった場合には、貯玉会員用の交換単価で景品交換を行うステップＢ７を経てリターンし、特別貯玉口座の貯玉であった場合には特別貯玉会員用の交換単価で景品交換を行うステップＢ８を経てリターンする。
【００３０】
尚、会員カードありの状態で景品交換が行われたときには、その履歴がホストコンピュータ４側に構築された個人遊技情報データベースに記録される。また、貯玉の引き落としにより景品交換が行われた場合には、上記個人遊技情報データベース中の該当貯玉残高が修正されることは勿論である。
【００３１】
要するに、ＰＯＳ端末７での景品交換時には、非会員、一般会員、貯玉会員、特別貯玉会員によるパチンコ玉（非会員及び一般会員の場合は獲得パチンコ玉、貯玉会員及び特別貯玉会員の場合は貯玉）の各交換単価が、非会員＜一般会員＜貯玉会員＜特別貯玉会員となるように制御されるものである。
【００３２】
図６には台間玉貸機２の動作内容が示されており、以下これについて説明する。図６において、台間玉貸機２は、会員カードがセットされた状態で払出ボタン（図示せず）が押下げ操作されるまで待機する（ステップＣ１、Ｃ２）。払出ボタンが押下げ操作されたときには、セット状態にある会員カードに対応した貯玉残高が予め設定されたしきい値残高以上あるか否かをホストコンピュータ４側の個人遊技情報データベースを参照することにより判断する（ステップＣ３）。
【００３３】
上記しきい値残高は、単位玉数（この実施例では１２５個）に引き落し手数料（図４に示すように、普通貯玉口座手数料は２５個、特別貯玉口座手数料は１５個）を加算した値である。従って、ステップＣ３では、貯玉残高が普通貯玉口座及び特別貯玉口座の何れのものであるかも同時に判断する必要がある。
【００３４】
そして、貯玉残高がしきい値残高未満の場合は、台間玉貸機２に設けられた表示器（図示せず）に貯玉残高が不足している旨の表示を行うステップＣ４を経てステップＣ１へ戻る。これに対して、貯玉残高がしきい値残高以上ある場合には、単位玉数のパチンコ玉を再プレイ玉として払い出し（ステップＣ５）、その払い出しパチンコ玉が特別貯玉口座からの貯玉引き落としであるか否かを判断する（ステップＣ６）。ここで「ＮＯ」と判断した場合、つまり普通貯玉口座からの貯玉引き落しであった場合には、ホストコンピュータ４に対して個人遊技情報データベース中の普通貯玉口座の貯玉残高を単位玉数と普通貯玉口座手数料の合計数（この場合、１２５＋２５＝１５０個）だけデクリメントする要求を送信するステップＣ７を経てリターンする。また、払出パチンコ玉が特別貯玉口座からの貯玉引き落としであった場合には、ホストコンピュータ４に対して個人遊技情報データベース中の特別貯玉口座の貯玉残高を単位玉数と特別貯玉口座手数料の合計数（この場合１２５＋１５＝１４０個）だけデクリメントする要求を送信するステップＣ８を経てリターンする。
【００３５】
要するに、台間玉貸機２において貯玉されているパチンコ玉を再プレイ玉として払い出すときには、特別貯玉口座からの引き落し手数料が普通貯玉口座からの引き落し手数料より安くなるように制御されるものである。
【００３６】
上記した本実施例によれば、以下に述べるような作用・効果を奏することができる。
本実施例によれば、特別貯玉口座への貯玉条件が成立するのを受けて個人口座に特別貯玉口座が開設された会員は、その特別貯玉口座に貯玉（記憶）されたパチンコ玉を景品交換や再プレイ玉の払い出しにより決済するときに、通常時より有利な取り扱いを受けることができる。具体的には、特別貯玉口座の貯玉を景品と交換する際の価値が、普通貯玉口座の貯玉を景品と交換する際の価値より高い状態に設定され、また、特別貯玉口座の貯玉を再プレイ玉として放出する際の単位玉数当たりの手数料が、普通貯玉口座の貯玉を再プレイ玉として引き落とす際の単位玉数当たりの手数料より低い状態に設定される。
【００３７】
つまり、特別口座を開設することが、景品交換時における遊技者の利益向上に繋がると共に、貯玉を再プレイ玉として引き落とすときにおける遊技者側の負担額軽減に繋がることになるから、その特別貯玉口座の魅力が高まるようになって集客性の向上を図る上で有益になる。また、このような利益が得られる特別貯玉口座は、前記（１）〜（８）のような種々の条件の中から単独或いは重複して設定された貯玉条件を満たした場合に設定されるものであって、どの遊技者にも開設チャンスがあるから、遊技者の射幸心を高めて遊技場への来店への動機付けを図ることができ、以て常時において集客性の向上を実現できるようになる。また、会員カードに対応して開設された個人口座に対し、通常の普通貯玉口座の他に特別貯玉口座を設定するだけで済むから、システム構成及びハードウェア構成が複雑化する恐れがなくなってコストの高騰を抑制できる。
【００３８】
この場合、上記貯玉条件は、前記（１）〜（８）に例を挙げた条件の中から選択するなどして任意に変更できる構成となっているから、特別貯玉口座への貯玉可能条件の多様化、つまり、遊技者が特別貯玉口座を開設できるチャンスの多様化を実現できる。このため、遊技場側で遊技者にとって有利となる様々なイベントを行うことが可能となり、集客性の向上を期待できるようになる。
【００３９】
尚、本発明は上記し且つ図面に示した実施例に限定されるものではなく、以下に述べるような変形または拡大が可能である。
貯玉を景品と交換する際に、特別貯玉口座及び普通貯玉口座に記憶された各貯玉をそれぞれの価値に応じた換算を行った状態で合算可能に構成しても良い。この構成によれば、特別貯玉口座及び普通貯玉口座に記憶された各貯玉の精算を簡略に行い得るようになる。
【００４０】
特別貯玉口座及び普通貯玉口座間での貯玉の双方向移動を、遊技場側で任意に実施できるように構成しても良い。この構成によれば、遊技場側による特別貯玉口座及び普通貯玉口座のメンテナンスを自由に行い得るようになるから、その管理を円滑に行うことが可能になる。
【００４１】
パチンコ玉の等価交換システムが通常レートでの交換システムと並存している遊技場では、特別貯玉口座及び普通貯玉口座は、等価交換用のものと通常レート用のものとに区分して開設することになる。また、パチンコ遊技機の他にパチスロ機が設置された遊技場においては、特別貯玉口座及び普通貯玉口座とは別途に特別貯メダル口座及び普通貯メダル口座も開設することになる。
【図面の簡単な説明】
【図１】本発明の一実施例を示すシステム全体の概略的構成図
【図２】計数機の動作内容を示すフローチャート
【図３】パチンコ玉を景品と交換する際の交換レートの一例を示す図
【図４】再プレイ玉の引き落し手数料の一例を示す図
【図５】ＰＯＳ端末の動作内容を示すフローチャート
【図６】台間玉貸機の動作内容を示すフローチャート
【符号の説明】
１はパチンコ遊技機、２は台間玉貸機、３は入出力装置、４はホストコンピュータ、５はＬＡＮ、６は計数機、７はＰＯＳ端末を示す。
【図１】
2004166781.tif 000003
【図２】
2004166781.tif 000004
【図３】
2004166781.tif 000005
【図４】
2004166781.tif 000006
【図５】
2004166781.tif 000007
【図６】
2004166781.tif 000008